(57)【要約】【課題】  保守点検時期を逃すことがなくなり、点検漏れによるトラブルを未然に防ぐことができるプログラマブルロジックコントローラを得る。【解決手段】稼動時間を計測するタイマ部と、このタイマ部により計測された稼働時間と、複数の保守点検項目毎に予め定められた保守作業必要期間とを比較し、いずれの保守点検項目に対応する保守作業必要期間が経過したかを判断する演算処理部と、上記演算処理部により期間が経過したと判断された保守点検項目に応じ、所定の表示を行う表示部と、を備える。【選択図】  図１
2012234261.tif 000002
【特許請求の範囲】
【請求項１】
稼動時間を計測するタイマ部と、
このタイマ部により計測された稼働時間と、複数の保守点検項目毎に予め定められた保守作業必要期間とを比較し、いずれの保守点検項目に対応する保守作業必要期間が経過したかを判断する演算処理部と、
上記演算処理部により期間が経過したと判断された保守点検項目に応じ、所定の表示を行う表示部と、
を備えたプログラマブルロジックコントローラ
【請求項２】
上記複数の保守点検項目に応じた作業内容を記憶する記憶部と、
上記演算処理部により期間が経過したと判断された保守点検項目に応じた作業内容を上記記憶部から読み出し、上記作業内容に対応する音声信号を生成して出力する音声信号生成部と、
を備えた請求項１に記載のプログラマブルロジックコントローラ
【請求項３】
外部入力を受け付ける外部入力部を備え、
上記演算処理部は、上記外部入力部により受け付けられた外部入力と、上記記憶部から読み出された作業内容とを比較して、当該作業が完了したかを判断し、当該作業が完了したと判断したとき、上記記憶部に当該作業の履歴を保存する
ことを特徴とする請求項２に記載のプログラマブルロジックコントローラ
【発明の詳細な説明】
【技術分野】
【０００１】
この発明は、保守点検音声ガイド機能を備えたプログラマブルロジックコントローラに関するものである。
【背景技術】
【０００２】
従来のプログラマブルロジックコントローラにおける音声ガイド機能は、エラーやトラブルなどが発生した場合のエラー信号を受け、音声合成出力装置からエラーあるいはトラブルの内容を音声メッセージとして出力し、エラーやトラブル内容の確認作業を容易にすることを目的としていた。
【０００３】
例えば、特許文献１では、プログラマブルロジックコントローラにおける音声ガイド機能が示されている。特許文献２では、音声出力装置を内蔵するプログラマブルロジックコントローラが示されている。
【先行技術文献】
【特許文献】
【０００４】
【特許文献１】特開平７−６４６２８号公報
【特許文献２】特開昭６３−１８０１０５号公報
【発明の概要】
【発明が解決しようとする課題】
【０００５】
しかしながら、プログラマブルロジックコントローラの保守点検においては、日常点検から半年〜１年で１、２回実施する保守点検など点検期間が異なる項目が多数存在している。ユーザは、これら種々の点検項目について実施有無を管理しなければならず、点検時にはマニュアルを参照し、作業を実施していた。又、従来のプログラマブルロジックコントローラの音声ガイド機能は、エラー発生時のみの機能であり、トラブルを未然に予防する保守点検面からは機能が存在しなかった。
【０００６】
この発明は、このような課題を解決するためになされたもので、プログラマブルロジックコントローラによる点検時期のユーザへのタイムリーな通知を目的としている。
【課題を解決するための手段】
【０００７】
この発明に係るプログラマブルロジックコントローラは、稼動時間を計測するタイマ部と、このタイマ部により計測された稼働時間と、複数の保守点検項目毎に予め定められた保守作業必要期間とを比較し、いずれの保守点検項目に対応する保守作業必要期間が経過したかを判断する演算処理部と、上記演算処理部により期間が経過したと判断された保守点検項目に応じ、所定の表示を行う表示部と、を備えたものである。
【０００８】
又、更に、上記複数の保守点検項目に応じた作業内容を記憶する記憶部と、上記演算処理部により期間が経過したと判断された保守点検項目に応じた作業内容を上記記憶部から読み出し、上記作業内容に対応する音声信号を生成して出力する音声信号生成部と、を備えたものである。
【０００９】
又、更に、外部入力を受け付ける外部入力部を備え、上記演算処理部は、上記外部入力部により受け付けられた外部入力と、上記記憶部から読み出された作業内容とを比較して、当該作業が完了したかを判断し、当該作業が完了したと判断したとき、上記記憶部に当該作業の履歴を保存することを特徴とするものである。
【発明の効果】
【００１０】
この発明によれば、プログラマブルロジックコントローラからユーザに保守点検の時期の到来を表示器により通知することで、保守点検時期を逃すことがなくなり、点検漏れによるトラブルを未然に防ぐことができる。
【００１１】
また、保守点検の作業内容を音声で案内することで、容易に作業内容を把握、実施することができ、ユーザの点検にかかる工数を削減する効果がある。
【００１２】
また、プログラマブルロジックコントローラの記憶部に点検履歴を残すことで、保守作業履歴の管理を省くことができ、作業効率を高めることができる。
【図面の簡単な説明】
【００１３】
【図１】この発明の手段を示すブロック図である。
【図２】この発明の実施例１を示す機能ブロック図である。
【図３】この発明の実施例１を示す動作フローチャートである。
【図４】この発明の実施例１の保守作業時における動作を示すフローチャートである。
【発明を実施するための形態】
【００１４】
実施の形態．
図１に、本発明の一実施の形態におけるブロック図を示す。
本実施の形態におけるプログラマブルロジックコントローラは、タイマ値やユーザからの操作に応じて判断処理を行う演算処理部１１、稼動時間を測定するためのタイマ部１２、タイマ部の測定時間であるタイマ値、演算処理部による演算結果、保守点検内容に対応したメッセージデータ、音声出力制御用レジスタ、スイッチ入力値を記憶する記憶部１３、処理部の演算結果に応じてメッセージを読み出して音声データに変換する音声信号生成部１４、変換された音声データの出力と、演算処理部による演算結果を表示することによってユーザに通知する外部出力部１５、作業実施に応じてユーザから入力を受付ける外部入力部１６を備えている。
【００１５】
実施例１
次に、本発明の一実施例につき、機能ブロック図である図２、および動作フローチャートである図３に基づいて説明する。
本実施例のプログラマブルロジックコントローラは、図２に示すように、ＣＰＵ（central processing unitの略）２１を搭載したプログラマブルロジックコントローラに、タイマ部２２、記憶部２３、音声信号生成部２４、表示器としてのＬＥＤ２５、スピーカー２６、音声ガイド再生ボタン２７、作業実施確認用押しボタンスイッチ（Ｙ／Ｎ）２８を内蔵したものである。
【００１６】
記憶部２３では、タイマ部２２での稼動時間の計測値であるタイマ値、ＣＰＵ２１が実行するプログラムの演算結果、保守点検作業内容を収めたメッセージ、音声出力部を制御するためのレジスタ、ユーザ操作によるスイッチ入力値を格納する。音声信号生成部２４ではＣＰＵ２１による音声出力制御用レジスタの値と、実行プログラムにおけるユーザ入力値の処理演算結果に応じて、適宜メッセージを記憶部２３から読出し、音声信号を生成する。音声信号生成部２４にて作成された音声信号はスピーカー２６により出力する。また、タイマ値に応じた演算結果によりＬＥＤ２５を点灯させる。又、ＣＰＵ２１は、保守作業音声ガイドプログラム起動を音声ガイド再生ボタン２７のユーザによる押下にて受付け、保守作業の進捗を押しボタンスイッチ（Ｙ／Ｎ）２８のユーザによる押下にて受付ける。
【００１７】
本実施例では、保守期間の異なる保守点検項目ごとに、ユーザへの点検時期の通知と音声ガイドによる点検作業内容の案内を行う。この動作について、フローチャート図３を用いて説明する。
【００１８】
タイマ２２は、プログラマブルロジックコントローラの初回通電時の初期設定時より、動作時間を計測する。このタイマ２２は通常の動作では停止することができないフリーランタイマとなっており、初期設定時からカウントアップを開始する（Ｓ００１）。
【００１９】
タイマ値と点検項目ごとに予め設定された保守作業必要時期を比較して（Ｓ００２）、指定時間が経過するとＬＥＤ２５を点灯させる（Ｓ００３）。このＬＥＤ２５の点灯により、点検作業実施の必要性をユーザに通知する。
【００２０】
ユーザが、ＬＥＤ２５の点灯を受けて、音声ガイド再生ボタン２７を押下することで、このボタン操作を受け付ける（Ｓ００４）。音声ガイドボタン２７押下により、タイマ値に応じて保守作業音声ガイドプログラムが選択され（Ｓ００５）、保守作業が開始される（Ｓ００６）。
【００２１】
ここで、保守作業開始（Ｓ０１１）から完了（Ｓ０１６）までの動作についてフローチャート図４を用いて説明する。
先ず、選択された保守作業音声ガイドプログラムに従い、ＣＰＵ２１はプログラマブルロジックコントローラ内部の記憶部２３に格納してあるメッセージを呼び出し、決められた作業手順で点検作業をユーザが行えるように保守作業音声ガイドプログラムを進めていく（Ｓ０１２）。この保守作業音声ガイドは、二者択一方式となっており、ユーザは作業の確認として押しボタンスイッチ（Ｙ／Ｎ）を押下することで次の作業に進むことができる（Ｓ０１３）。保守作業音声ガイドプログラムによって、定められた作業が完了しているかを判断し、完了していると（Ｓ０１４）、保守作業履歴が記憶部２３に残され（Ｓ０１５）、保守作業完了（Ｓ０１６）となる。
【００２２】
保守作業完了後、ＬＥＤ２５を消灯し（Ｓ００７）、システムが動作状態にあればタイマ値と保守作業必要時期の比較に戻る（Ｓ００８）。
【００２３】
このようにすれば、ユーザが保守点検時期を意識しなくても点検時期を逃すことなく実施することができるという利点がある。また、点検項目ごとに点検時期が異なるため煩雑であった保守作業履歴の管理も省くことができる。さらに、マニュアルが手元にない場合や作業に不慣れなユーザでも正確に保守作業を行うことができるという利点がある。
【産業上の利用可能性】
【００２４】
この発明に係る、タイマ付き音声ガイダンス機能は、プログラマブルロジックコントローラにおいて、保守点検作業に用いられるのに適している。
【符号の説明】
【００２５】
１１  演算処理部
１２  タイマ部
１３  記憶部
１４  音声信号生成部
１５  外部出力部
１６  外部入力部
２１  ＣＰＵ
２２  タイマ
２３  記憶部
２４  音声信号生成部
２５  ＬＥＤ
２６  スピーカー
２７  音声ガイド再生ボタン
２８  作業実施確認用押しボタンスイッチ(Ｙ/Ｎ)
【図１】
2012234261.tif 000003
【図２】
2012234261.tif 000004
【図３】
2012234261.tif 000005
【図４】
2012234261.tif 000006